(57)【要約】  シェービング装置は、容器と、サポートキャリッジと、レザーカートリッジと、ハンドルとを備えて構成される。非固形のシェービング補助剤を収容可能な容器は、ある容量を有する内部キャビティを取り囲み、選択的に折り畳み可能な側壁を有している。サポートキャリッジは、ガイド部材と塗布用パネルとを有している。塗布用パネルは、容器と液性連通する１つ以上の引き込み口を有している。容器の一方の端部は、サポートキャリッジに取り付けられ、他方の端部は、ハンドルに取り付けられている。レザーカートリッジは、塗布用パネルの近傍のサポートキャリッジ上に取り付けられている。サポートキャリッジは、容器の容量を縮小するために容器の側敵を折り畳める態様で、ハンドルに対してスライド移動可能となっている。これにより、シェービング補助剤が容器から１つ以上の引き込み口に移送される。本発明の一態様によれば、上述の容器と、サポートキャリッジと、レザーカートリッジと、取り付けフランジとを備え、ハンドルに選択的に取り付け可能な交換式カートリッジとして集合的に組み立てられるシェービング装置が提供される。
2007512912.tif 000002
【特許請求の範囲】
【請求項１】
非固形のシェービング補助剤を収容可能な容器であって、ある容量を有する内部キャビティを取り囲み、選択的に折り畳み可能な側壁を有し、前記側壁は第１の端部と第２の端部とを有する容器と、
ガイド部材と、前記容器と液性連通する１つ以上の引き込み口を有する塗布用パネルとを有するサポートキャリッジであって、前記容器の第１の端部が取り付けられるサポートキャリッジと、
１つ以上のレザーブレードを有し、前記塗布用パネルの近傍の前記サポートキャリッジ上に取り付けられるレザーカートリッジと、
前記容器の第２の端部が取り付けられるハンドルと、を備え、
前記サポートキャリッジ及びレザーカートリッジは、前記容器の容量を縮小するために前記側壁を折り畳める態様で相対的に移動可能であり、シェービング補助剤を前記容器から１つ以上の前記引き込み口に移送させることを特徴とするシェービング装置。
【請求項２】
選択的に折り畳み可能な前記容器の側壁は、１つ以上のプリーツを有することを特徴とする請求項１記載のシェービング装置。
【請求項３】
前記側壁は、前記容器が、前記容器の内部キャビティが第１の容量を有する第１の位置まで拡張され、前記容器の内部キャビティが第２の容量を有する第２の位置まで折り畳まれるように、十分な柔軟性を有し、前記第１の容量が第２の容量よりも大きいことを特徴とする請求項２記載のシェービング装置。
【請求項４】
前記第１の容量は、所定量だけ前記第２の容量よりも大きいことを特徴とする請求項３記載のシェービング装置。
【請求項５】
前記ハンドルに対して、前記サポートキャリッジを選択的に位置付けるための、調整可能ポジショナーを更に備えることを特徴とする請求項３記載のシェービング装置。
【請求項６】
前記側壁は、前記容器が、前記容器の内部キャビティが第１の容量を有する第１の位置まで拡張され、前記容器の内部キャビティが第２の容量を有する第２の位置まで折り畳まれるように、十分な柔軟性を有し、前記第１の容量が第２の容量よりも大きいことを特徴とする請求項１記載のシェービング装置。
【請求項７】
前記第１の容量は、所定量だけ前記第２の容量よりも大きいことを特徴とする請求項６記載のシェービング装置。
【請求項８】
前記ハンドルに対して、前記サポートキャリッジを選択的に位置付けるための、調整可能ポジショナーを更に備えることを特徴とする請求項６記載のシェービング装置。
【請求項９】
非固形のシェービング補助剤を収容可能な容器であって、ある容量を有する内部キャビティを取り囲み、選択的に折り畳み可能な側壁を有し、前記側壁は第１の端部と第２の端部とを有する容器と、
第１のガイド部材と、前記容器と液性連通する１つ以上の引き込み口を有する塗布用パネルとを有するサポートキャリッジであって、前記容器の第１の端部が取り付けられるサポートキャリッジと、
前記サポートキャリッジとの間の相対的な動きをガイドするために取り付けフランジと連携する第２のガイド部材を備え、前記容器の第２の端部が取り付けられる取り付けフランジと、
１つ以上のレザーブレードを有し、前記塗布用パネルの近傍の前記サポートキャリッジ上に取り付けられるレザーカートリッジと、を有する交換式カートリッジと、
前記取り付けフランジが選択的に取り付け可能とされたハンドルとを備え、
前記サポートキャリッジ及びレザーカートリッジは、前記容器の容量を縮小するために前記側壁を折り畳める態様で前記取り付けフランジ及びハンドルに対して移動可能であり、シェービング補助剤を前記容器から１つ以上の前記引き込み口に移送させることを特徴とするシェービング装置。
【請求項１０】
選択的に折り畳み可能な前記容器の側壁は、１つ以上のプリーツを有することを特徴とする請求項９記載のシェービング装置。
【請求項１１】
前記側壁は、前記容器が、前記容器の内部キャビティが第１の容量を有する第１の位置まで拡張され、前記容器の内部キャビティが第２の容量を有する第２の位置まで折り畳まれるように、十分な柔軟性を有し、前記第１の容量が第２の容量よりも大きいことを特徴とする請求項１０記載のシェービング装置。
【請求項１２】
前記第１の容量は、所定量だけ前記第２の容量よりも大きいことを特徴とする請求項１１記載のシェービング装置。
【請求項１３】
前記ハンドルに対して、前記サポートキャリッジを選択的に位置付けるための、調整可能ポジショナーを更に備えることを特徴とする請求項１２記載のシェービング装置。
【請求項１４】
前記側壁は、前記容器が、前記容器の内部キャビティが第１の容量を有する第１の位置まで拡張され、前記容器の内部キャビティが第２の容量を有する第２の位置まで折り畳まれるように、十分な柔軟性を有し、前記第１の容量が第２の容量よりも大きいことを特徴とする請求項９記載のシェービング装置。
【請求項１５】
前記第１の容量は、所定量だけ前記第２の容量よりも大きいことを特徴とする請求項１４記載のシェービング装置。
【請求項１６】
前記ハンドルに対して、前記サポートキャリッジを選択的に位置付けるための、調整可能ポジショナーを更に備えることを特徴とする請求項１４記載のシェービング装置。
【請求項１７】
非固形のシェービング補助剤を収容可能な容器であって、ある容量を有する内部キャビティを取り囲み、選択的に折り畳み可能な側壁を有し、前記側壁は第１の端部と第２の端部とを有する容器と、
第１のガイド部材と、前記容器と液性連通する１つ以上の引き込み口を有する塗布用パネルとを有するサポートキャリッジであって、前記容器の第１の端部が取り付けられるサポートキャリッジと、
前記サポートキャリッジとの間の相対的な動きをガイドするために取り付けフランジと連携する第２のガイド部材を備え、前記容器の第２の端部が取り付けられる取り付けフランジと、
１つ以上のレザーブレードを有し、前記塗布用パネルの近傍の前記サポートキャリッジ上に取り付けられるレザーカートリッジとを備え、
前記サポートキャリッジ及びレザーカートリッジは、前記容器の容量を縮小するために前記側壁を折り畳める態様で前記取り付けフランジに対して移動可能であり、シェービング補助剤を前記容器から１つ以上の前記引き込み口に移送させることを特徴とするシェービング装置用の交換式カートリッジ。
【請求項１８】
選択的に折り畳み可能な前記容器の側壁は、１つ以上のプリーツを有することを特徴とする請求項１７記載の交換式カートリッジ。
【請求項１９】
前記側壁は、前記容器が、前記容器の内部キャビティが第１の容量を有する第１の位置まで拡張され、前記容器の内部キャビティが第２の容量を有する第２の位置まで折り畳まれるように、十分な柔軟性を有し、前記第１の容量が第２の容量よりも大きいことを特徴とする請求項１８記載の交換式カートリッジ。
【請求項２０】
前記第１の容量は、所定量だけ前記第２の容量よりも大きいことを特徴とする請求項１９記載の交換式カートリッジ。
【発明の詳細な説明】
【技術分野】
【０００１】
本発明は、概してシェービング装置に関し、特に、流動性を有するシェービング補助剤を供給する機構を備えるシェービング装置に関する。
【背景技術】
【０００２】
一般に、皮膚の表面から毛を除去する工程は、その表面に対してシェービング補助剤（例えば、シェービングクリーム）を塗布する工程と、レザーアセンブリを用いてシェービングする工程とを有している。多くの場合、シェービング補助剤は、シェービング処理の質を向上するのに相応しい薬剤（例えば、潤滑剤、スキン・コンディショナー、抵抗低減剤、脱毛剤）の少なくとも１つを含んでいる。一般に、レザーアッセンブリは、少なくとも１つのブレード要素を有する、使い捨て可能なレザーカートリッジを備えたセーフティレザーである。
【０００３】
シェービング補助剤を吐出する機構をレザーアッセンブリと組み合わせ、一体のシェービング装置を製造する多数の試みが行われている。一般に、レザーアッセンブリと吐出機構とを組み合わせたシェービング装置は、シェービング補助剤を含んだ容器と、その容器を排出位置に繋ぐ１つ以上の通路とを有している。シェービング補助剤は、通路から排出される位置で、シェービングされる表面に付着する。
【０００４】
容器からシェービング補助剤を吐出する従来の機構は、加圧ガス源を有している。しかしながら、多くの場合、加圧機構は、製造コストが高価であり、追加の交換部品が必要となる。機械的に容器からシェービング補助剤を押し出すシステムも有効である。一般に、これらは、通常のシェービング動作に追加される、ある種の処理を行うことをユーザに要求する。従って、シェービングの簡素化に悪影響を与える。このため、これらのような従来技術の欠点なく、シェービング補助剤を吐出するシェービング装置が必要となる。
【発明の開示】
【０００５】
本発明に従えば、容器と、サポートキャリッジと、レザーカートリッジと、ハンドルとを備えるシェービング装置が提供される。非固形のシェービング補助剤を収容可能な容器は、ある容量を有する内部キャビティを取り囲み、選択的に折り畳み可能な壁部を有している。サポートキャリッジは、ガイド部材と塗布用パネルとを有している。塗布用パネルは、容器と液性連通する１つ以上の引き込み口を有している。容器の一方の端部は、サポートキャリッジに取り付けられ、他方の端部は、ハンドルに取り付けられている。レザーカートリッジは、塗布用パネルの近傍のサポートキャリッジ上に取り付けられている。サポートキャリッジは、容器の側壁が容器の容量を縮小するために折り畳まれる態様で、ハンドルに対してスライド移動可能となっている。これにより、シェービング補助剤が容器から１つ以上の引き込み口に移送される。
【０００６】
本発明の一態様によれば、上述の容器と、サポートキャリッジと、レザーカートリッジと、取り付けフランジとを備え、ハンドルに選択的に取り付け可能な交換式カートリッジとして集合的に組み立てられるシェービング装置が提供される。
【０００７】
本発明に係るシェービング装置の第１の利点は、シェービング作業を単一のステップで行えることである。より具体的には、シェービング補助剤は、ブレードがシェービングされる表面上を引かれる際、すなわち、シェービング動作に応じて、シェービエングされる表面に必要なだけ吐出される。シェービング動作に応じてシェービング補助剤を吐出及び塗布することによって、シェービング補助剤を塗布する独立したステップが不要となる。
【０００８】
さらに、（シェービング動作をシャワーのような湿潤環境で行う場合においても）シェービング補助剤が早期に洗い落とされる可能性が低減される。シェービング補助剤がブレードの直前に塗布されるため、シェービング補助剤の利点が十分に実感され、それがシェービングの快適さを増加させる。
【０００９】
本発明のこれらの、並びに、他の目的、特徴、利点は、以下の本発明に係る詳細な説明に照らして明らかになる。
【発明を実施するための最良の形態】
【００１０】
図１〜図３を参照すると、シェービング装置１０は、レザーカートリッジ１２と、サポートキャリッジ１４と、容器１６と、ハンドル１８とを備えている。
【００１１】
レザーカートリッジ１２は、フレーム内に取り付けられた１つ又はそれ以上のブレード２０を有している。ある実施形態において、レザーカートリッジ１２は、ガードバーやコンフォートストリップなどの追加の構成を有しても良い。レザーカートリッジ１２は、サポートキャリッジ１４に取り付けられている。レザーカートリッジ１２は、サポートキャリッジ１４に枢動可能であるか、或いは、サポートキャリッジ１４に固定されている。本発明においては、様々な種類のレザーカートリッジを利用し得る。従って、本発明は、特別なレザーカートリッジに限定されるものではない。
【００１２】
サポートキャリッジ１４は、ガイド部材２２と塗布用パネル２４とを有している。図２に示す実施形態において、ガイド部材２２は、後述するハンドル１８のガイド機構を形成する１つ以上のガイドパネル２６を有している。塗布用パネル２４は、レザーカートリッジ１２の近傍に配置された接触面２８を有している。図１に示す塗布用パネル２４は、レザーカートリッジ１２の周囲に延在し、レザーカートリッジ１２のシェービング面の近傍に配置されている。他の実施形態においては、レザーカートリッジ１２の一部の近傍に延在する、１つ以上の塗布用パネル２４部を有し得る。塗布用パネル２４は、容器１６と液性連通する１つ以上のポート３０を有している。「液性連通」という用語は、容器１６内のシェービング補助剤が、容器１６から１つ以上のポート３０に向かって、或いは、１つ以上のポート３０の中へ移動できることを表現するために使用される。いくつかのポート３０の態様は、そのポートを通るシェービング補助剤のスムーズな通過を可能とし、一方、他のポートの態様は、バルブ構成を含み、そのポートを通るシェービング補助剤の通過を選択的に可能とする。シェービング補助剤は、ポート３０を介して塗布用パネル２４の接触面２８に達する。
【００１３】
容器１６は、非固形（例えば、液体、ジェルなど）のシェービング補助剤を収容可能となっている。シェービング補助剤は、これに限定されるものではないが、平滑剤、抵抗低減剤、脱毛剤、洗浄剤、薬剤などのシェービング処理の質を向上するものを含んでいる。容器１６は、ある容量を有する内部キャビティ４２を取り囲む、選択的に折り畳み可能な側壁３２を有している。側壁３２は、第１の端と第２の端部とを有し、これらの端部の間に配置された１つ以上のプリーツ４４を有している。側壁３２は、プリーツ４４が、１）容器１６の内部キャビティ４２が第１の容量を有する第１の位置まで拡張され、２）容器１６の内部キャビティ４２が第２の容量を有する第２の位置まで折り畳まれるように、十分な柔軟性を有している。第１の容量は、シェービング補助剤の所望量に相当する容量の変化により、第２の容量よりも大きい。側壁３２の第１の端部は、サポートキャリッジ１４に取り付けられ、側壁３２の第２の端部は、ハンドル１８に取り付けられている。
【００１４】
図２を参照すると、ハンドル１８は、サポートキャリッジ１４に取り付けられたガイドパネル２６と結合して、上述のガイド機構を形成する、１つ以上のガイドパネル３４を有している。ガイド機構は、ハンドル１８に対するサポートキャリッジ１４（及びこれに取り付けられるレザーカートリッジ１２）の移動をガイドする。図２に示すガイドパネル２６、３４は、例えば、サポートキャリッジ１４及びハンドル１８が、選択的に、相互に離接する直線運動にその動きを制限する。
【００１５】
ある実施形態において、シェービング装置１０は、ハンドル１８に対してサポートキャリッジ１４を選択的に位置付けるための、調整可能ポジショナー３６を備えている。調整可能ポジショナー３６の例として、図２においては、複数の嵌合雄型ボタン３８と、雌型窪み４０とを示している。他のポジショニング機構を代わりに使用しても良い。ポジショナー３６により、サポートキャリッジ１４とハンドル１８とを離間した位置に維持させることができる。例えば、図２に示すポジショナー３６は、異なる関係位置をともに規定する、嵌合雄型ボタン３８と、雌型窪み４０とを有している。離間した位置間の移動量は、内部キャビティ４２の容量を所定量、例えば、特定のシェービングのために望まれるシェービング補助剤の量と同等の量だけ、縮小するために決定される。
【００１６】
上述のシェービング装置の動作において、シェービング装置１０は、シェービングされる表面に対して押し付けられる。塗布用パネル２４の接触面２８に対して加えられた押圧力は、選択的に容器１６の折り畳み可能な側壁３２に伝えられる。十分な押圧力が加えられた場合、側壁３２は、ある量だけ折り畳まれ、内部キャビティ４２の容量を縮小する。側壁３２が１つ以上のプリーツ４４を有する実施形態においては、プリーツ４４が、内部キャビティ４２の容量を縮小するために折り畳まれる。内部キャビティ４２の容量を縮小する押圧力は、容器１６からシェービング補助剤を吐出させるのに必要な力を提供する。シェービング補助剤は、１つ以上のポート３０を通って塗布用パネル２４の接触面２８まで移動し、そこでシェービングされる表面に塗布される。ハンドル１８の方への塗布用パネル２４の移動は、結合するガイドパネル２６、３４により案内される。
【００１７】
シェービング装置１０が調整可能ポジショナー３６を有する実施形態においては、サポートキャリッジ１４及びハンドル１８は、ボタン３８と窪み４０の嵌め合いセットを外し、関係要素を近傍のセットに移動させるのに十分な力をサポートキャリッジ１４及び／又はハンドル１８のいずれか又は両方に加えることによって隣の離れた位置に移動することができる。
【００１８】
図３及び図４を参照すると、本シェービング装置１０の他の実施形態は、交換式カートリッジ４６と、ハンドル１８とを備えている。交換式カートリッジ４６は、レザーカートリッジ１２と、サポートキャリッジ１４と、取り付けフランジ４８と、容器１６とを有する。レザーカートリッジ１２及びサポートキャリッジ１４は、上述のものと同様である。取り付けフランジ４８は、サポートキャリッジ１４とハンドル１８との上述したガイド機構に類似するガイド機構を形成し、サポートキャリッジ１４に取り付けられたガイドパネル２６と結合する、１つ以上のガイドパネル５０を有することが好ましい。後述するように、このガイド機構は、ハンドル１８に対するサポートキャリッジ１４（及びこれに取り付けられるレザーカートリッジ１２）の移動をガイドする。ガイドパネル２６、５０は、サポートキャリッジ１４及び取り付けフランジ４８が、選択的に相互に離接する直線運動に、それらの動きを制限する。さらに、取り付けフランジ４８は、取り付けフランジ４８（これに伴って交換式カートリッジ４６）をハンドル１８に選択的に取り付ける機構の第１の部分を有する。取り付けフランジ４８を選択的に取り付ける機構の詳細については後述する。容器１６は、その第２の端部が取り付けフランジ４８に取り付けられる点を除き、上述したものと類似する。
【００１９】
ハンドル１８は、取り付けフランジ４８をハンドル１８に選択的に取り付ける機構の第２の部分を有する。図３及び図４に示す実施形態において、その機構の第１の部分は、ハンドル１８に取り付けられた１つ以上の雄型ボタン５２を有する。その機構の第２の部分は、取り付けフランジ４８に配置された１つ以上の雌型窪み５４を有する。嵌合する雄型ボタン５２及び雌型窪み５４は、取り付けフランジ４８、これに伴って交換式カートリッジ４６を選択的にハンドル１８に取り付けるように機能する。取り付けフランジ４８を選択的にハンドル１８に取り付ける他の機構を代わりに使用しても良い。
【００２０】
上記のように最初に説明した本シェービング装置１０と類似して、交換式カートリッジに、ハンドル１８に対してサポートキャリッジ１４を選択的に位置付けるための、調整可能ポジショナー３６を備えても良い。また、上記のように最初に説明した本シェービング装置１０と類似して、調整可能ポジショナー３６の第１の部分を、サポートキャリッジ１４に取り付け、第２の部分を、ハンドル１８に取り付けるようにしても良い。或いは、調整可能ポジショナー３６の第１の部分を、サポートキャリッジ１４に取り付け、第２の部分を、取り付けフランジ４８に取り付けるようにしても良い。
【００２１】
本シェービング装置１０の上述した実施形態は、上記のように最初に説明したシェービング装置１０の実施形態と同様に機能する。容器１６が実質的に空となった場合、交換式カートリッジ４６が選択的にハンドル１８から取り外され、新しい交換式カートリッジ４６と交換される。或いは、ユーザが、１つ以上の種類のシェービング補助剤の利用を要望する場合に、ユーザの要望に応じて、異なるシェービング補助剤を収容する交換式カートリッジ４６が取り外され、取り付けられる。
【００２２】
本発明は、その詳細な実施形態に関連して図示して説明しているが、当業者によって、本発明の精神及び範囲から逸脱することなく、様々な変更を施すことができ、同等物を本発明の要素に代用することができることが認識される。
【図面の簡単な説明】
【００２３】
【図１】本発明のシェービング装置の平行透視図である。
【図２】上記シェービング装置の一実施形態の概略部分断面図である。
【図３】交換式カートリッジを有する上記シェービング装置の一実施形態の概略部分断面図である。
【図４】交換式カートリッジを有する上記シェービング装置の一実施形態の概略部分分解図である。
【図１】
2007512912.tif 000003
【図２】
2007512912.tif 000004
【図３】
2007512912.tif 000005
【図４】
2007512912.tif 000006
【国際調査報告】
2007512912.tif 000007
2007512912.tif 000008
2007512912.tif 000009